(57)【要約】【課題】複数の被包装物を一体的に収容可能であるとともに、それらに対する緩衝性能を十分に保持した上で、同時に運んだり、同時に包装箱から取り出したりすることができ、且つ省資源化、低コスト化が図られた緩衝包装材を提供する。【解決手段】緩衝包装材１は、矩形板状部材の外縁部の対向する二辺の箇所の一部を上方に折り曲げることにより形成した略垂直な側壁１０と、この側壁１０に直交する他の外縁部の二辺の箇所を、上方に向かって折り曲げ、さらに内方に向かって複数の折り目で折り曲げて、側壁１０に係合させることにより形成した被包装物の収容部２０とを備える。これにより、単一の板状部材から、複数の被包装物を収容可能な収容部２０を形成できる。したがって、複数の被包装物を整然と収容でき、且つ各々を搬送時の衝撃から保護することが可能な緩衝包装材１を形成するに際し、使用する板状部材を大幅に低減できる。【選択図】図１
2009292495.tif 000002
【特許請求の範囲】
【請求項１】
矩形板状部材の外縁部の対向する二辺の箇所の少なくとも一部を上方に折り曲げることにより形成した略垂直な側壁と、この側壁に直交する他の外縁部の二辺の箇所を、上方に向かって折り曲げ、さらに内方に向かって複数の折り目で折り曲げて、前記側壁に係合させることにより形成した被包装物の収容部とを備えることを特徴とする緩衝包装材。
【請求項２】
前記収容部は、被包装物の収容空間を複数備えることを特徴とする請求項１に記載の緩衝包装材。
【請求項３】
前記収容部は、その側面から被包装物側に、切り起こしにて下側を自由端として上方に向かって折り曲げて形成された押さえ部を備えることを特徴とする請求項１または請求項２に記載の緩衝包装材。
【請求項４】
当該緩衝包装材を内部に備える包装箱の内側に略一致して収まる形状、大きさをなすトレイ形状にして構成されていることを特徴とする請求項１〜請求項３のいずれか１項に記載の緩衝包装材。
【請求項５】
手を掛けることが可能な把手部を備えることを特徴とする請求項１〜請求項４のいずれか１項に記載の緩衝包装材。
【発明の詳細な説明】
【技術分野】
【０００１】
本発明は、被包装物である物品を包装するための包装箱の内部に配置される緩衝包装材に関する。
【背景技術】
【０００２】
画像形成装置や家庭用電化製品、そしてそれらを構成する機能部材や電子部品等の物品は、通常段ボールなどで構成される包装箱によって包装され、出荷されている。包装箱は、被包装物である物品を段ボール製の箱にすっぽりと収容する形のものが多い。搬送時の衝撃から被包装物を保護するために、緩衝包装材を介して包装箱に被包装物を収容する場合も多い。
【０００３】
単一の包装箱に複数の被包装物を収容したり、包装箱と被包装物との間に間隙を設けて収容したりする場合には、包装箱の内部に、緩衝包装材が配置される。この緩衝包装材は、包装箱内の複数の被包装物が互いに衝突したり、包装箱が衝撃を受けて被包装物が大きく移動し、内壁に衝突したりしないように、緩衝作用をもたらすものである。このようにして緩衝包装材は、包装箱内に収容された被包装物を破損から保護している。
【０００４】
一方、緩衝包装材には、被包装物を衝撃などから保護する作用に加えて、複数の被包装物を、同時に運んだり、同時に包装箱から取り出したり、包装箱内での荷崩れを防止したりすることを考慮入れた構造のものがある。このような緩衝包装材の一例を、特許文献１に見ることができる。特許文献１に記載された梱包部材（緩衝包装材）は、上面が開口した箱形状をなす梱包トレイと、この梱包トレイの内部に載置される複数の緩衝部材とを備えている。この複数の緩衝部材内に各々被包装物を収容できるようになっている。
【特許文献１】特開２００８−３０８３９号公報（図１）
【発明の開示】
【発明が解決しようとする課題】
【０００５】
特許文献１に記載された梱包部材（緩衝包装材）は、単一の梱包トレイに対して、複数の緩衝部材を設けることにより、複数の被包装物を一体的に収容できるようになっており、梱包トレイでそれらを同時に運ぶことができ、同時に包装箱から取り出すことができ、包装箱内でのそれらの荷崩れを防止できる。しかしながら、この構成では、複数の被包装物に対して個別に緩衝部材が必要となるので、構成が複雑になり、組立てに手間が掛かる恐れがある。
【０００６】
また、複数の緩衝部材を形成するためには、多くの板状部材が必要となる。その結果、梱包トレイ内に被包装物を整然と収容することができ、且つ各々を搬送時の衝撃から保護すべく緩衝部材を設けると、板状部材に掛かる資源やコストが大幅に増大する可能性がある。これにより、昨今推し進められている省資源化、低コスト化に反することとなる。したがって、被包装物に対する緩衝性能を十分に保持した上で、できるだけ省資源化、低コスト化が図られた形にして、複数の被包装物を収容可能な緩衝包装材を構成する必要がある。
【０００７】
本発明は上記の点に鑑みなされたものであり、包装箱の内部に配置される緩衝包装材において、複数の被包装物を一体的に収容可能であるとともに、それらに対する緩衝性能を十分に保持した上で、同時に運んだり、同時に包装箱から取り出したり、包装箱内での荷崩れを防止したりすることができ、且つ省資源化、低コスト化が図られた緩衝包装材を提供することを目的とする。
【課題を解決するための手段】
【０００８】
上記の課題を解決するため、本発明は、緩衝包装材において、矩形板状部材の外縁部の対向する二辺の箇所の少なくとも一部を上方に折り曲げることにより形成した略垂直な側壁と、この側壁に直交する他の外縁部の二辺の箇所を、上方に向かって折り曲げ、さらに内方に向かって複数の折り目で折り曲げて、前記側壁に係合させることにより形成した被包装物の収容部とを備えることとした。
【０００９】
また、上記構成の緩衝包装材において、前記収容部は、被包装物の収容空間を複数備えることとした。
【００１０】
また、上記構成の緩衝包装材において、前記収容部は、その側面から被包装物側に、切り起こしにて下側を自由端として上方に向かって折り曲げて形成された押さえ部を備えることとした。
【００１１】
また、上記構成の緩衝包装材が、当該緩衝包装材を内部に備える包装箱の内側に略一致して収まる形状、大きさをなすトレイ形状にして構成されていることとした。
【００１２】
また、上記構成の緩衝包装材において、手を掛けることが可能な把手部を備えることとした。
【発明の効果】
【００１３】
本発明の構成によれば、緩衝包装材は、矩形板状部材の外縁部の対向する二辺の箇所の少なくとも一部を上方に折り曲げることにより形成した略垂直な側壁と、この側壁に直交する他の外縁部の二辺の箇所を、上方に向かって折り曲げ、さらに内方に向かって複数の折り目で折り曲げて、前記側壁に係合させることにより形成した被包装物の収容部とを備えることとしたので、単一の板状部材から、複数の被包装物を収容可能な収容部を形成することができる。これにより、複数の被包装物を整然と収容することができ、且つ各々を搬送時の衝撃から保護することが可能な緩衝包装材を形成するに際し、使用する板状部材を大幅に低減することができる。また、この緩衝包装材は、構成が簡便であり、組立ても容易である。したがって、包装箱の内部に配置される緩衝包装材において、複数の被包装物を一体的に収容可能であって、それらに対する緩衝性能を十分に保持した上で、同時に運んだり、同時に包装箱から取り出したり、包装箱内での荷崩れを防止したりすることができ、且つ省資源化、低コスト化が図られた緩衝包装材を得ることができる。
【００１４】
また、前記収容部は、被包装物の収容空間を複数備えることとしたので、できるだけ少量の板状部材を使用して、さらに多くの被包装物の収容空間を形成することが可能である。したがって、被包装物を保護する作用を十分考慮しながら、さらに多くの被包装物を同時に運んだり、同時に包装箱から取り出したりすることができ、省資源化、低コスト化が一層高められた緩衝包装材を得ることが可能である。
【００１５】
また、前記収容部は、その側面から被包装物側に、切り起こしにて下側を自由端として上方に向かって折り曲げて形成された押さえ部を備えることとしたので、予め設定された収容部の大きさより比較的小さい被包装物を収容した場合であっても、被包装物を下方に向かって付勢して保持することができる。また、この押さえ部による被包装物を下方に付勢する作用は、板状部材の弾性を利用して得ることができる。これにより、比較的小さい被包装物を、別途新たな部材を用いることなく、搬送時の衝撃から保護すべく保持することができる。したがって、緩衝包装材の使用材料に係る資源やコストを削減することができ、省資源化、低コスト化を一層推進することが可能となる。
【００１６】
また、本発明の緩衝包装材は、当該緩衝包装材を内部に備える包装箱の内側に略一致して収まる形状、大きさをなすトレイ形状にして構成されていることとしたので、複数の被包装物に対して一層効果的な緩衝性能を得ることができ、且つそれらを同時に運んだり、同時に包装箱から取り出したりする作業性を向上させることが可能である。
【００１７】
また、本発明の緩衝包装材は、手を掛けることが可能な把手部を備えることとしたので、緩衝包装材がさらに取り扱い易くなる。これにより、複数の被包装物の運搬や包装箱からの取り出しなどにおいて、さらに作業効率を高めることができ、且つ落下防止作用も得ることが可能になる。
【発明を実施するための最良の形態】
【００１８】
以下、本発明の実施形態に係る緩衝包装材について、図１〜図８に基づき、その構成を説明する。
【００１９】
図１は緩衝包装材全体の斜視図、図２は緩衝包装材の包装箱への配置の仕方を説明する斜視図、図３は緩衝包装材の展開図、図４は図１の矢印Ａの方向から見た緩衝包装材の収容部の部分側面図である。図５は収容部を形成する折り曲げ工程の第１段階を示す部分側面図、図６は収容部を形成する折り曲げ工程の第２段階を示す部分側面図、図７は被包装物の収容状態を示す収容部の垂直断面部分側面図、図８は図７と同様の被包装物の収容状態を示す収容部の垂直断面部分側面図にして、図７より小さい被包装物である場合を示すものである。
【００２０】
緩衝包装材１は、図１及び図２に示すように、その外形形状及び寸法が、直方体形状の包装箱１００の内側に略一致して収まる形状、大きさをなすトレイ形状にして構成されている。緩衝包装材１を包装箱１００の内側に配置する際、図２に示すように、包装箱１００の内部に収容された他の物品２００の上方に、緩衝包装材１が配置されることがある。
【００２１】
緩衝包装材１は、底面部２と、対向する２箇所の略垂直な側壁１０と、この側壁１０に直交し、対向する２箇所の収容部２０とを備えている。被包装物（図示せず）は、２箇所の収容部２０に各々２箇所ずつ、計４箇所に形成された、板状部材で包囲された収容空間Ｓに収容される（図１及び図４参照）。収容空間Ｓは上面が開口され、上方から被包装物が出し入れされる。
【００２２】
緩衝包装材１を展開すると、図３に示す展開図となる。緩衝包装材１は、展開した状態において略矩形の板状をなす部材であって、段ボールで構成されている。図３において、矩形板状部材の状態にある緩衝包装材１の左右方向長さが、包装箱１００の内側面の、一対の対向面の距離に略一致する。
【００２３】
緩衝包装材１の折り目１１で、その外側部分を上方に折り曲げることにより、図３における左右に位置する、外縁部の対向する二辺の箇所の一部に略垂直な側壁１０が形成される（図１参照）。側壁１０は、図３において上下に延びる長方形状をなす。そして、側壁１０は、図１及び図２に示すように、その水平方向の長さが、包装箱１００の内側面の、一対の対向面の距離に略一致している。また、側壁１０は、図３に示すように、収容部２０との係合に用いられる切込み１２と、係合突起１３とを備えている。
【００２４】
緩衝包装材１の折り目２１で、その外側部分を略垂直上方に折り曲げ、さらに折り目２２でその外側部分を内側に向かって略水平になるように折り曲げ、さらに折り目２３でその外側部分を略垂直下方に向かって折り曲げることにより、一方の収容部２０の内部を２個の収容空間Ｓに仕切る仕切り部２４が形成される（図５参照）。また、折り目２１の箇所で、矩形板状部材の内側の部分を、切り起こしにて外側に折り曲げることにより、２個の収容部２０の間に位置する箇所に設けられる別の仕切り部３が形成される。
【００２５】
続いて、図６に示すように、底面部２に隣接し、側壁１０に直交する折り目２５で、その外側部分を略垂直上方に折り曲げ、さらに折り目２６でその外側部分を内側に向かって略水平になるように折り曲げて、側壁１０に係合させることにより、収容部２０が形成される（図４参照）。このようにして、図３における上下に位置する、外縁部の対向する二辺の箇所に収容部２０が形成される（図１参照）。
【００２６】
収容部２０は、図１に示すように、切り起こしにて仕切り部３の箇所を形成することにより上面が開口された、横に倒した角形筒形状で構成され、２個の収容空間Ｓを備えている。すなわち、緩衝包装材１は、被包装物の収容空間Ｓを４個備えている。収容空間Ｓは、底面部２と、２箇所の側壁１０と、仕切り部２４と、内側側面２７或いは外側側面２８とで包囲されている。
【００２７】
なお、収容部２０の形成に当たって、収容部２０の仕切り部２４及び内側側面２７と、２個の収容部２０の間に位置する仕切り部３とは、図４に示すように、側壁１０に設けられた切込み１２に上方から差し込まれ、係合する。また、収容部２０は、その外側側面２８に係合孔２９を備え、その形成の際、側壁１０に設けられた係合突起１３が挿入される。このようにして、収容部２０の形状が整えられ、保持される。
【００２８】
また、緩衝包装材１は、図１に示すように、その外縁部に、手を掛けることが可能な把手部４０を備えている。把手部４０は、収容部２０の外側側面２８から上方に延びる形にして形成されている。
【００２９】
上記構成の収容部２０に、被包装物１０１を収容すると、図７に示す状態となる。収容部２０は、被包装物１０１に対して、その受け入れが十分可能な、適切な形状、大きさにして予め設計されている。
【００３０】
一方、これに対して、被包装物１０１よりさらに小さい被包装物１０２、１０３を収容部２０に収容する場合、図８に示すように、収容部２０に備えられた押さえ部３０を用いる。押さえ部３０は、収容部２０の内側側面２７及び外側側面２８に、各々１個ずつ設けられている。押さえ部３０は、各々の側面から収容空間Ｓの被包装物側に、切り起こしにて下側を自由端として上方に向かって折り曲げて形成されている。被包装物１０２は押さえ部３０の下面と底面部２との間に、被包装物１０３は押さえ部３０の下面と底面部２及び外側側面２８との間に保持される形になっている。
【００３１】
このようにして、緩衝包装材１は、矩形板状部材の外縁部の対向する二辺の箇所の一部を上方に折り曲げることにより形成した略垂直な側壁１０と、この側壁１０に直交する他の外縁部の二辺の箇所を、上方に向かって折り曲げ、さらに内方に向かって複数の折り目で折り曲げて、側壁１０に係合させることにより形成した被包装物１０１の収容部２０とを備えているので、単一の板状部材から、複数の被包装物１０１を収容可能な収容部２０を形成することができる。これにより、複数の被包装物１０１を整然と収容することができ、且つ各々を搬送時の衝撃から保護することが可能な緩衝包装材１を形成するに際し、使用する板状部材を大幅に低減することができる。また、この緩衝包装材１は、構成が簡便であり、組立ても容易である。したがって、包装箱１００の内部に配置される緩衝包装材１において、複数の被包装物１０１を一体的に収容可能であって、それらに対する緩衝性能を十分に保持した上で、同時に運んだり、同時に包装箱１００から取り出したり、包装箱１００内での荷崩れを防止したりすることができ、且つ省資源化、低コスト化が図られた緩衝包装材１を得ることができる。
【００３２】
また、収容部２０は、被包装物１０１の収容空間Ｓを複数備えているので、できるだけ少量の板状部材を使用して、さらに多くの被包装物１０１の収容空間Ｓを形成することが可能である。したがって、被包装物１０１を保護する作用を十分考慮しながら、さらに多くの被包装物１０１を同時に運んだり、同時に包装箱１００から取り出したりすることができ、省資源化、低コスト化が一層高められた緩衝包装材１を得ることが可能である。
【００３３】
そして、収容部２０は、その側面から被包装物側に、切り起こしにて下側を自由端として上方に向かって折り曲げて形成された押さえ部３０を備えているので、予め設定された収容部２０の大きさより比較的小さい被包装物１０２、１０３を収容した場合であっても、被包装物１０２、１０３を下方に向かって付勢して保持することができる。また、この押さえ部３０による被包装物１０２、１０３を下方に付勢する作用は、板状部材の弾性を利用して得ることができる。これにより、比較的小さい被包装物１０２、１０３を、別途新たな部材を用いることなく、搬送時の衝撃から保護すべく保持することができる。したがって、緩衝包装材１の使用材料に係る資源やコストを削減することができ、省資源化、低コスト化を一層推進することが可能となる。
【００３４】
さらに、緩衝包装材１は、この緩衝包装材１を内部に備える包装箱１００の内側に略一致して収まる形状、大きさをなすトレイ形状にして構成されているので、複数の被包装物１０１に対して一層効果的な緩衝性能を得ることができ、且つそれらを同時に運んだり、同時に包装箱１００から取り出したりする作業性を向上させることが可能である。
【００３５】
また、緩衝包装材１は、手を掛けることが可能な把手部４０を備えているので、緩衝包装材１がさらに取り扱い易くなる。これにより、複数の被包装物１０１の運搬や包装箱１００からの取り出しなどにおいて、さらに作業効率を高めることができ、且つ落下防止作用も得ることが可能になる。
【００３６】
以上、本発明の実施形態につき説明したが、本発明の範囲はこれに限定されるものではなく、発明の主旨を逸脱しない範囲で種々の変更を加えて実施することができる。
【００３７】
例えば、上記実施形態では、２箇所の収容部２０が、各々被包装物の収容空間Ｓを２箇所ずつ備えているが、収容部２０が備える収容空間Ｓは２箇所に限定されるわけではなく、１箇所でも、３箇所以上でも構わない。収容部２０に３個以上の収容空間Ｓを構成する場合であっても、矩形板状部材の、側壁１０に直交する他の外縁部の二辺の箇所を、上方に向かって折り曲げ、さらに内方に向かって複数の折り目で折り曲げることによって収容部２０を形成することができ、省資源化、低コスト化が図られている。
【産業上の利用可能性】
【００３８】
本発明は、被包装物である物品を包装するための包装箱の内部に配置される緩衝包装材全般において利用可能である。
【図面の簡単な説明】
【００３９】
【図１】本発明の実施形態に係る緩衝包装材全体の斜視図である。
【図２】図１に示す緩衝包装材の包装箱への配置の仕方を説明する斜視図である。
【図３】図１に示す緩衝包装材の展開図である。
【図４】図１の矢印Ａの方向から見た緩衝包装材の収容部の部分側面図である。
【図５】収容部を形成する折り曲げ工程の第１段階を示す部分側面図である。
【図６】収容部を形成する折り曲げ工程の第２段階を示す部分側面図である。
【図７】被包装物の収容状態を示す収容部の垂直断面部分側面図である。
【図８】図７と同様の被包装物の収容状態を示す収容部の垂直断面部分側面図にして、図７より小さい被包装物である場合を示すものである。
【符号の説明】
【００４０】
１    緩衝包装材
２    底面部
１０  側壁
１１  折り目
１２  切込み
１３  係合突起
２０  収容部
２１、２２、２３、２５、２６  折り目
２４  仕切り部
２７  内側側面
２８  外側側面
２９  係合孔
３０  押さえ部
４０  把手部
１００  包装箱
１０１、１０２、１０３  被包装物
Ｓ  収容空間
【図１】
2009292495.tif 000003
【図２】
2009292495.tif 000004
【図３】
2009292495.tif 000005
【図４】
2009292495.tif 000006
【図５】
2009292495.tif 000007
【図６】
2009292495.tif 000008
【図７】
2009292495.tif 000009
【図８】
2009292495.tif 000010